(57)【要約】【課題】  撮像装置を制御する通信装置において、撮像装置の撮影設定や撮影の実行元に応じて適したタイミングで、撮影状態を正しく報知できる表示および発音制御を行うことを可能とする通信装置を提供する。【解決手段】  前記撮像装置での画像の撮影を制御する通信装置であって、撮影に関する設定情報を受信する手段と、撮影動作に関する状態情報を受信する手段と、撮影状態を報知する手段と、報知のためにどの状態情報を使用するかを、設定情報に応じて判断する手段とを有し、判断された状態情報を受信すると、撮影状態の報知を開始する。【選択図】  図３
2019062486.tif 000002
【特許請求の範囲】
【請求項１】
撮像装置と通信可能であり、前記撮像装置での画像の撮影を制御する通信装置であって、
撮像装置に対し撮影動作を要求する撮影要求手段と、
撮像装置の撮影に関する設定情報を受信する設定情報受信手段と、
撮像装置の撮影動作に関する状態情報を受信する状態情報受信手段と、
撮像装置の撮影状態を報知する報知手段と、
前記報知手段による報知を開始するためにどの状態情報を使用するかを、撮像装置の設定情報に応じて判断する判断手段と、
前記判断手段で判断された状態情報を受信すると、前記報知手段による撮影状態の報知を開始する報知制御手段
を持つことを特徴とする通信装置。
【請求項２】
前記通信装置はさらに、前記撮像装置の撮影状態を表示するための表示手段を持ち、
前記報知手段による報知方法は、表示手段による表示であることを特徴とする、請求項１に記載の通信装置。
【請求項３】
前記通信装置はさらに、状態情報が撮影の終了を示す場合に、表示手段による表示を消すことを特徴とする、請求項２に記載の通信装置。
【請求項４】
前記通信装置はさらに、前記撮像装置の撮影状態を表示するための発音手段を持ち、
前記報知手段による報知方法は、発音手段による発音であることを特徴とする、請求項１に記載の通信装置。
【請求項５】
前記判断手段はさらに、前記撮影要求手段による要求の有無によって、前記報知手段による報知を開始するためにどの状態情報を使用するか判断することを特徴とする、請求項１乃至４のいずれか１項に記載の通信装置。
【請求項６】
前記通信装置はさらに、撮影要求手段による要求を行う際に、前記報知手段による撮影状態の報知を開始することを特徴とする、請求項４に記載の通信装置。
【請求項７】
前記通信装置はさらに、報知手段による報知の際に、設定情報によって報知内容を切り替えることを特徴とする、請求項１に記載の通信装置。
【請求項８】
前記通信装置はさらに、報知手段による報知の際に、設定情報によって発音の音量を切り替えることを特徴とする、請求項１に記載の通信装置。
【請求項９】
前記通信装置はさらに、前記撮影要求手段による要求の有無によって、前記報知手段による報知を行うかどうか判断すること特徴とする、請求項４に記載の通信装置。
【発明の詳細な説明】
【技術分野】
【０００１】
本発明は撮像装置と通信可能な通信装置において、撮像装置の撮影状況に基づいた表示または発音を行う通信装置及びその制御方法、プログラム、記録媒体に関するものである。
【背景技術】
【０００２】
近年、無線通信機能を搭載したデジタルカメラが増えている。無線通信機能を搭載したデジタルカメラでは、接続された外部機器に前記デジタルカメラのライブビュー画像を表示させ、外部通信装置からデジタルカメラを制御して撮影を行えるようになっている（特許文献１）。これにより、デジタルカメラで遠隔撮影することが手軽に行えるようになった。
【０００３】
前述のような遠隔撮影を行うケースにおいて、通信装置で、撮影を行うことを通知する表示や音声を出す技術が開示されている（特許文献２）。特許文献２では、通信装置からデジタルカメラに対し撮影命令を送ったのち、デジタルカメラから撮影に入ることを示す通知を受けたタイミングで、撮影を示す表示または発音を行っている。これによれば、通信装置で遠隔撮影した撮影者は、離れた場所にあるデジタルカメラで撮影されたかどうかを確認することができる。
【先行技術文献】
【特許文献】
【０００４】
【特許文献１】特開２０１４−２７３３８号公報
【特許文献２】特開２００５−１７３３２８号公報
【発明の概要】
【発明が解決しようとする課題】
【０００５】
デジタルカメラでは、ミラーアップ撮影やセルフタイマー撮影など、さまざまな撮影設定が可能であり、撮影設定によって、撮影に入ることを示す通知以外にも、通信装置に対して撮影状態を示すさまざまな通知を行っている。撮影設定によっては、通信装置で撮影を表現するにあたって、撮影に入ることを示す通知とは異なる通知を用いるのが適しているケースがある。特許文献２の構成では、撮影設定によっては、最適でないタイミングで表現を行ってしまう。また、デジタルカメラ側で撮影操作を行われた場合には、通信装置での撮影者は、撮影状態を知ることができない。
【０００６】
本発明は上記の問題点に鑑み、通信装置において、撮像装置の撮影設定や撮影の実行元に応じて適したタイミングで、撮影状態を正しく報知する方法を提供することを目的とする。
【課題を解決するための手段】
【０００７】
本発明の通信装置は、
撮像装置と通信可能であり、前記撮像装置での画像の撮影を制御する通信装置であって、
撮像装置に対し撮影動作を要求する撮影要求手段と、
撮像装置の撮影に関する設定情報を受信する設定情報受信手段と、
撮像装置の撮影動作に関する状態情報を受信する状態情報受信手段と、
撮像装置の撮影状態を報知する報知手段と、
報知手段による報知を開始ためにどの状態情報を使用するかを、撮像装置の設定情報に応じて判断する判断手段と、
前記判断手段で判断された状態情報を受信すると、前記報知手段による撮影状態の報知を開始する報知制御手段を持つことを特徴とする。
【発明の効果】
【０００８】
本発明によれば、撮像装置を制御する通信装置において、撮像装置の撮影設定や撮影の実行元に応じて適したタイミングで、撮影状態を正しく報知できる表示および発音制御を行うことができる。
【図面の簡単な説明】
【０００９】
【図１】（ａ）（ｂ）は、デジタルカメラの構成例を示す概略図およびブロック図である。
【図２】通信装置の構成例を示すブロック図である。
【図３】デジタルカメラと通信電話を含む遠隔撮影システムの使用例を示す概略図である。
【図４】通信装置で表現される、表示形態の種別および音声データの概要を示す表である。
【図５】デジタルカメラと通信装置による遠隔撮影時のシーケンス図である。
【図６（ａ）】通信装置側の操作により遠隔撮影する際のデジタルカメラと通信装置のシーケンス図である。
【図６（ｂ）】通信装置側の操作により遠隔撮影する際のデジタルカメラと通信装置のシーケンス図である。
【図６（ｃ）】通信装置側の操作により遠隔撮影する際のデジタルカメラと通信装置のシーケンス図である。
【図６（ｄ）】通信装置側の操作により遠隔撮影する際のデジタルカメラと通信装置のシーケンス図である。
【図７（ａ）】通信装置での表示例を示す図である。
【図７（ｂ）】通信装置での表示例を示す図である。
【図７（ｃ）】通信装置での表示例を示す図である。
【図７（ｄ）】通信装置での表示例を示す図である。
【図８】図８は、デジタルカメラ側の操作により撮影する際のデジタルカメラと通信装置のシーケンス図である。
【発明を実施するための形態】
【００１０】
以下、図面を参照しながら本発明の好適な実施の形態を説明する。
【００１１】
＜デジタルカメラ１００の構成＞
図１（ａ）は、本実施例に係る交換レンズ式のデジタルカメラ１００の概略図である。交換可能なレンズ１は、一般的に、焦点距離を可変するためのズームレンズ１１、明るさを制御するための絞り機構１２、被写体にピントを合わせるためのフォーカスレンズ１３を有している。また、この交換式レンズ１は、レンズ側のマウント１４が撮像装置２のマウント部２７と機械的に接合することができる様になっている。撮像装置２は、レンズを通過してきた光を２１のハーフミラーで反射させ、ピント板２４の位置で結像させる。ピント板２４で結像した光は、プリズム２５で反転され、接眼レンズ２６を通して正立像として観測できる。
【００１２】
また、撮影時には、ハーフミラー２１が跳ね上がり、シャッター２２が開き、レンズ１を通過してきた光が、撮像素子２３に結像する。交換可能なレンズ１のマウント部１４には、接点群１５が組み込まれている。この接点群１５は、デジタルカメラ１００本体から、電源を供給し、通信を行うための接点（不図示）である。
【００１３】
この交換可能なレンズ１のマウント部１４は、デジタルカメラ１００のレンズマウント部２７と接合することによって、マウント部１４にある接点群１５とレンズマウント部２７にある接点群２８の中の接続端子が各々つながる。その結果、接続端子を経由して撮像装置２から、交換可能なレンズ１に電源が供給され、交換可能なレンズ１とデジタルカメラ２の間で通信が開始される。
【００１４】
次に、図１（ｂ）に、本実施形態に係るデジタルカメラ１００のブロック図を示す。図１（ｂ）において、レンズマウント部１０１には、交換可能なレンズと接合し、レンズと通信を行うための接点群が組み込まれており、交換可能なレンズとの通信が可能である。ハーフミラー１０２は、レンズを通過してきた光をピント板に結像させ、撮影者に接眼レンズを通した撮像範囲の確認を可能とする。撮影時やライブビュー撮影時には、ハーフミラー１０２が跳ね上がり、シャッター１０３が開いて、撮像部１０４に光を当てる。撮像部１０４は光学像を電気信号に変換するＣＣＤやＣＭＯＳ等で構成される撮像素子（イメージセンサ）である。
【００１５】
Ａ／Ｄ変換器１０５は、撮像部１０４から出力されるアナログ信号をデジタル信号に変換するために用いられる。撮像装置２は、レンズを通過してきた光を２１のハーフミラーで反射させ、ピント板２４の位置で結像させる。ピント板２４で結像した光は、プリズム２５で反転され、接眼レンズ２６を通して正立像として観測できる。また、撮影時には、ハーフミラー２１が跳ね上がり、シャッター２２が開き、レンズ１を通過してきた光が、撮像素子２３に結像する。
【００１６】
画像処理部１０６は、Ａ／Ｄ変換器１０５からのデータ、又は、メモリ制御部１０７からのデータに対し所定の画素補間、縮小といったリサイズ処理や色変換処理を行う。また、画像処理部１０６では、撮像した画像データを用いて所定の演算処理が行われ、得られた演算結果に基づいてシステム制御部１１１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１０６では更に、撮像した画像データを用いて所定の演算処理を行い、得られた演算結果に基づいてＴＴＬ方式のＡＷＢ（オートホワイトバランス）処理も行っている。
【００１７】
Ａ／Ｄ変換器１０５からの出力データは、画像処理部１０６及びメモリ制御部１０７を介して、或いは、メモリ制御部１０７を介してメモリ１０８に書き込まれる。メモリ１０８は、撮像部１０４によって得られＡ／Ｄ変換器１０５によりデジタルデータに変換された画像データや、表示部１１０に表示するための画像データを格納する。メモリ１０８は、所定枚数の静止画像や所定時間の動画像および音声を格納するのに十分な記憶容量を備えている。
【００１８】
また、メモリ１０８は画像表示用のメモリ（ビデオメモリ）を兼ねている。Ｄ／Ａ変換器１０９は、メモリ１０８に格納されている画像表示用のデータをアナログ信号に変換して表示部１１０に供給する。こうして、メモリ１０８に書き込まれた表示用の画像データは、Ｄ／Ａ変換器１０９を介して表示部１１０により表示される。表示部１１０は、ＬＣＤ等の表示器上に、Ｄ／Ａ変換器１０９からのアナログ信号に応じた表示を行う。また、表示部１１０はスルー画像表示（ライブビュー表示）により、電子ビューファインダとして機能する。この場合、Ａ／Ｄ変換器１０５によって一度Ａ／Ｄ変換されメモリ１０８に蓄積されたデジタル信号は、Ｄ／Ａ変換器１０９においてアナログ変換され、表示部１１０に逐次転送され、表示される。
【００１９】
システム制御部１１１は、デジタルカメラ１００全体を制御する。システム制御部１１１は、不揮発性メモリ１１２に記録されたプログラムを実行することで、後述する本実施形態の各処理を実現する。また、システム制御部１１１はメモリ１０８、Ｄ／Ａ変換器１０９、表示部１１０等を制御することにより表示制御も行う。
【００２０】
不揮発性メモリ１１２は、電気的に消去・記録可能なメモリであり、例えばＥＥＰＲＯＭ等が用いられる。不揮発性メモリ１１２には、システム制御部１１１の動作用の定数、プログラム等が記憶される。ここでいうプログラムには、本実施形態にて後述する各種フローチャートを実行するためのプログラムが含まれる。
【００２１】
システムメモリ１１３は、一般的にはＲＡＭが用いられる。システムメモリ１１３は、システム制御部１１１の動作用の定数、変数が保持されるとともに、不揮発性メモリ１１２から読み出したプログラム等が展開される。システムタイマ１１４は各種制御に用いる時間や、内蔵された時計の時間を計測する計時部である。操作部１１５、シャッターボタン（第１シャッタースイッチ３１６と第２シャッタースイッチ３１７）、モード切り替えスイッチ３１８はシステム制御部３１１に各種の動作指示を入力するための操作手段である。
【００２２】
操作部１１５の各操作部材は、表示部１１０に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１１０に表示される。利用者は、表示部１１０に表示されたメニュー画面と、上下左右の４方向ボタンやＳＥＴボタンとを用いて直感的に各種設定を行うことができる。
【００２３】
第１シャッタースイッチ１１６は、デジタルカメラ１００に設けられたシャッターボタン１１８の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作が開始される。
【００２４】
第２シャッタースイッチ１１７は、シャッターボタン１１８の押し込み操作の完了、いわゆる全押し（撮影指示）でＯＮとなり、第２シャッタースイッチ信号ＳＷ２を発生する。システム制御部１１１は、第２シャッタースイッチ信号ＳＷ２により、撮像部１０４からの信号読み出しから記録媒体２９０に画像データを書き込むまでの一連の撮影処理の動作を開始する。
【００２５】
モード切り替えスイッチ１１９は、システム制御部１１１の動作モードを静止画記録モード、動画記録モード、再生モード等のいずれかに切り替える。静止画記録モードに含まれるモードとしては、オート撮影モード、オートシーン判別モード、マニュアルモード、撮影シーン別の撮影設定となる各種シーンモード、プログラムＡＥモード、カスタムモード等がある。モード切り替えスイッチ１１９で、静止画撮影モードに含まれるこれらのモードのいずれかに直接切り替えることができる。あるいは、モード切り替えスイッチ１１９で静止画撮影モードに一旦切り換えた後に、他の操作部材を用いて静止画撮影モードに含まれるこれらのモードのいずれかに切り替えるようにしてもよい。同様に、動画撮影モードにも複数のモードが含まれていてもよい。
【００２６】
電源制御部１２１は、電池検出回路、ＤＣ−ＤＣコンバータ、通電するブロックを切り替えるスイッチ回路等により構成され、電池の装着の有無、電池の種類、電池残量の検出を行う。また、電源制御部１２１は、その検出結果及びシステム制御部１１１の指示に基づいてＤＣ−ＤＣコンバータを制御し、必要な電圧を必要な期間、記録媒体１２５を含む各部へ供給する。電源スイッチ３１９がオンされると、システム制御部１１１は、電源制御部１２１に各部への電力供給を行なうよう指示する。
【００２７】
電源部１２２は、アルカリ電池やリチウム電池等の一次電池やＮｉＣｄ電池やＮｉＭＨ電池、Ｌｉ電池等の二次電池、ＡＣアダプター等からなる。通信Ｉ／Ｆ１２３は、外部機器と接続するためのインターフェースである。通信Ｉ／Ｆ３２３は、有線通信、あるいは無線通信で外部機器と接続することができ、外部機器と相互に情報をやり取りすることができる。ここで、有線通信としては、例えば、ＵＳＢケーブル、ＬＡＮケーブル、或いはＨＤＭＩ（登録商標）ケーブルなどを介しての通信が、無線通信としては、例えば無線ＬＡＮ、Bluetooth（登録商標）などを用いた通信があげられる。
【００２８】
また、通信Ｉ／Ｆ１２３は、映像出力端子であってもよく、撮像部１０４で撮像しているライブビュー画像、記録媒体１２５に記録された画像を再生した映像、各種アイコンや情報表示などのＧＵＩ映像などを出力して外部モニタに表示させることができる。表示部１１０に表示しているものと同様の内容を出力することもできるし、外部モニタに適するように生成した映像を出力することも可能である。なお、本実施形態ではこの通信Ｉ／Ｆ１２３を介し、無線ＬＡＮで携帯電話２００と接続することができる。
【００２９】
記録媒体Ｉ／Ｆ３２４は、メモリカードやハードディスク等の記録媒体１２５とのインターフェースである。記録媒体１２５は、撮影された画像を記録するためのメモリカード等の記録媒体であり、半導体メモリや磁気ディスク等から構成される。以上がデジタルカメラ１００の説明である。
【００３０】
＜携帯電話２００の構成＞
図２は、本実施形態において通信装置として動作する携帯電話２００の構成例を示すブロック図である。なお、ここでは通信装置の一例として携帯電話について述べるが、通信装置はこれに限られない。例えば通信装置は、無線機能付きのデジタルカメラ、携帯型のメディアプレーヤやいわゆるタブレットデバイス、パーソナルコンピュータ、スマートフォンなどの情報処理装置であってもよい。
【００３１】
制御部２０１は、入力された信号や、後述のプログラムに従って携帯電話２００の各部を制御する。なお、制御部２０１が装置全体を制御する代わりに、複数のハードウェアが処理を分担することで、装置全体を制御してもよい。
【００３２】
撮像部２０２は、撮像部２０２に含まれるレンズで結像された被写体光を電気信号に変換し、ノイズ低減処理などを行いデジタルデータを画像データとして出力する。撮像した画像データはバッファメモリに蓄えられた後、制御部２０１にて所定の演算を行い、記録媒体２１０に記録される。
【００３３】
不揮発性メモリ２０３は、電気的に消去・記録可能な不揮発性のメモリであり、制御部２０１で実行される各種プログラム等が格納される。デジタルカメラ１００と通信するためのプログラムも不揮発性メモリ２０３に保持され、カメラ通信アプリケーションとしてインストールされているものとする。
【００３４】
なお、本実施形態における携帯電話２００の処理は、カメラ通信アプリケーションにより提供されるプログラムを読み込むことにより実現される。なお、カメラ通信アプリケーションは携帯電話２００にインストールされたＯＳの基本的な機能を利用するためのプログラムを有しているものとする。なお、携帯電話２００のＯＳが本実施形態における処理を実現するためのプログラムを有していてもよい。
【００３５】
作業用メモリ２０４は、撮像部２０２で生成された画像データを一時的に保存するバッファメモリや、表示部２０６の画像表示用メモリや、制御部２０１の作業領域等として使用される。
【００３６】
操作部２０５は、携帯電話２００に対する指示をユーザから受け付けるために用いられる。操作部２０５は例えば、ユーザが携帯電話２００の電源のＯＮ／ＯＦＦを指示するための電源ボタンや、表示部２０６に形成されるタッチパネルなどの操作部材を含む。
【００３７】
表示部２０６は、画像データの表示、対話的な操作のための文字表示などを行う。なお、表示部２０６は必ずしも携帯電話２００が内蔵する必要はない。携帯電話２００は表示部２０６と接続することができ、表示部２０６の表Ｆ示を制御する表示制御機能を少なくとも有していればよい。
【００３８】
記録媒体２１０は、撮像部２０２から出力された画像データを記録することができる。記録媒体２１０は、携帯電話２００に着脱可能なよう構成してもよいし、携帯電話２００に内蔵されていてもよい。すなわち、携帯電話２００は少なくとも記録媒体２１０にアクセスする手段を有していればよい。
【００３９】
接続部２１１は、外部装置と接続するためのインターフェースである。本実施形態の携帯電話２００は、接続部２１１を介して、外部装置とデータのやりとりを行うことができる。なお、本実施形態では、接続部２１１は外部装置と無線ＬＡＮで通信するためのインターフェースを含む。制御部２０１は、接続部２１１を制御することで外部装置との無線通信を実現する。なお、本実施形態におけるデジタルカメラ１００は、少なくともインフラストラクチャモードにおけるスレーブ装置として動作することが可能であり、周辺のＡＰが形成するネットワークに参加することが可能である。
【００４０】
公衆網接続部２１２は、公衆無線通信を行う際に用いられるインターフェースである。携帯電話２００は、公衆網接続部２１２を介して、他の機器と通話をしたり、データ通信をすることができる。通話の際には、制御部２０１はマイク２１３およびスピーカ２１４を介して音声信号の入力と出力を行う。本実施形態では、公衆網接続部２１２は３Ｇを用いた通信を行うためのインターフェースを含むものとする。なお、３Ｇに限らず、ＬＴＥやＷｉＭＡＸ、ＡＤＳＬ、ＦＴＴＨ、いわゆる４Ｇといった他の通信方式を用いてもよい。また、接続部２１１および公衆網接続部２１２は必ずしも独立したハードウェアで構成する必要はなく、例えば一つのアンテナで兼用することも可能である。
以上が携帯電話２００の説明である。
【００４１】
＜システムの構成＞
図３は、本実施例に係る、デジタルカメラ１００と携帯電話２００を含む遠隔撮影システムの構成と使用例を示す図である。まず、図３の構成要素について説明を行う。携帯電話２００は、デジタルカメラ１００に対して、通信装置として遠隔での制御を行う。３０１はアクセスポイントであり、デジタルカメラ１００と携帯電話２００とは、アクセスポイント３０１を経由して接続を行うインフラストラクチャモードにより、画像データを含む各種信号の送受信が可能になっている。なお、デジタルカメラ１００と携帯電話２００との接続方式は、アクセスポイントを利用せずに機器同士でネットワークを構築するアドホックモード等であってもよい。
【００４２】
遠隔撮影とは、デジタルカメラ１００で撮影される被写体３０２の被写体像を携帯電話２００側で確認するとともに、携帯電話２００側で撮影指示を行う撮影方法を指す。また、本実施例では、携帯電話２００と通信中に、デジタルカメラ１００側を操作しての撮影も可能とする。この撮影方法は、デジタルカメラ１００のファインダや背面液晶表示部のライブビュー画像を確認し難いような撮影、例えば超低位置からの撮影等に使われるほか、デジタルカメラ１００を操作する撮影者の撮影状況や撮影される画像を、携帯電話２００の操作者が閲覧する場合にも用いられる。
【００４３】
上記の携帯電話２００での遠隔撮影操作は、携帯電話２００で動作可能な遠隔撮影アプリケーション上で行われる。以下で、遠隔撮影アプリケーションの概要を説明する。
【００４４】
＜遠隔撮影アプリケーションの概要＞
携帯電話２００上で起動されたアプリケーションでは、表示部２０６に対してＧＵＩ表示を行い、表示された遠隔撮影用ボタン部材を撮影者が押下することで、撮影制御を行うことが可能である。
【００４５】
遠隔撮影アプリケーションのＧＵＩ表示には遠隔撮影ＳＷ１ボタン、遠隔撮影ＳＷ２ボタンが設けられており、このボタンをタップ操作することによりデジタルカメラ１００に対して、フォーカス要求や撮影要求が出される。遠隔撮影ＳＷ１ボタンの押下はデジタルカメラ１００のＳＷ１（１１６）操作、遠隔撮影ＳＷ２ボタンの押下は、ＳＷ２（１１７）の操作に対応している。デジタルカメラ１００は、撮影要求を受けて、撮影の設定状態に応じて各種処理を行い、撮影を実施する。
【００４６】
また、遠隔撮影アプリケーション上で、デジタルカメラ１００で撮影できる画像の確認を可能とするため、ライブビュー画像を表示できる機能を提供する。遠隔撮影アプリケーションを起動すると、携帯電話２００の指示により、デジタルカメラ１００ではライブビューが開始される。デジタルカメラ１００は、撮像部１０４に結像した画像をデジタル画像として取得し、取得した画像（ライブビュー画像）を定期的に携帯電話２００へ送信する。携帯電話２００は受信したライブビュー画像を表示部２０６に表示する。これにより、携帯電話２００の操作者は、遠隔操作においてもカメラの操作と同様に被写体の確認を行うことができ、構図や色合いの確認やシャッターチャンスを捉えることが可能となる。
【００４７】
撮影には様々な被写体が考えられるので、できる限り現実の被写体の動きからタイムラグを発生することなく表示されることが望まれる。携帯電話２００では、表示されたライブビュー画像上のタップ操作でピント合わせの位置をデジタルカメラ１００に指定したり、ピンチイン操作により画像拡大をしたりすることも可能である。他方、ライブビュー撮影を行うとデジタルカメラ１００の電源の消耗が早まるため、アプリケーション操作によりライブビューを行わない設定に変更することも可能である。この際は、デジタルカメラ１００は、ライブビュー画像の定期的な撮像および携帯電話２００への送信を行なわず、携帯電話２００ではライブビュー画像の表示処理を行わない。
【００４８】
また、デジタルカメラ１００は、携帯電話２００との通信の開始時に、撮影モードや撮影パラメータなど、撮影に関わる各種設定情報を携帯電話２００に通知する。その後も設定情報が変わるたびに、デジタルカメラ１００から携帯電話２００へ設定情報の通知が行われる。
【００４９】
以上が遠隔撮影アプリケーションの概要である。遠隔撮影アプリケーションのＧＵＩ表示例については、図７を用いて後述する。
【００５０】
さて、図３に示すケースでは、撮影者は、デジタルカメラ１００および被写体３０２と離れた場所から、携帯電話２００側の操作によりデジタルカメラ１００を制御し撮影を行う。携帯電話２００側の遠隔操作で撮影を行った場合、撮影者は、デジタルカメラ１００の外観やシャッター音から撮影がなされているかどうかや撮影のタイミングを把握するのは困難である。このため、携帯電話２００において、デジタルカメラ１００の撮影状況を、撮影のタイミングに合わせて表現し、遠隔での撮影者に知らせる必要がある。
【００５１】
撮影状況を示す表現は２形態ある。１つめは撮影の状況を携帯電話２００で表示する方法であり、２つめは音により表現する方法である。本実施例では、デジタルカメラ１００の撮影と合わせたタイミングで、かつ撮影状況を正しく伝達する表示や音を携帯電話２００で出すことにより、撮影者に撮影状態を伝える。
【００５２】
図４は、本実施例の携帯電話２００で用意する音声データの概要を示している。デジタルカメラが撮影中であることを示す音としては、撮影開始音、撮影終了音、連写音を用意した。撮影開始音の音源“カッ”は、デジタルカメラのシャッターが開く音を模した音源であり、撮影が開始したことを示すため発せられる。撮影終了音の音源“シャ”は、デジタルカメラのシャッターが閉まる音を模した音源であり、撮影が終了したことを示すため発せられる。撮影開始音と撮影終了音を分けて、それぞれ開始、終了のタイミングで１度ずつ発音することで、露光時間の長さによらず、正しいタイミングで撮影の開始、終了を伝えることができるようになっている。
【００５３】
連写音の音源“パコパコパコ”は、連写時のシャッターの上下音を模した音源であり、連写中であることを示すため発せられる。１枚撮影時の音と連写時の音を分けて表現することで、デジタルカメラの撮影状態をより正確に伝えられるようになっている。
【００５４】
また、撮影の準備に入ったことを示す音として、ミラーアップ音、セルフカウントダウン音も用意した。ミラーアップ音の音源“ボッ”は、デジタルカメラのハーフミラーが上がる音を模した音源であり、ハーフミラーが上がったことを示すため発せられる。デジタルカメラ１００は、ライブビューを行わない状態では、ハーフミラーが下がった状態になっているが、“ミラーアップ撮影”の設定がなされている場合、撮影前に、撮影に先立ってハーフミラーを上げ、デジタルカメラに発生する振動を抑えることができる。
【００５５】
携帯電話２００のミラーアップ音は、撮影に先立ってハーフミラーが上がったことを携帯電話２００の操作者に伝えるために用いられる。セルフカウントダウン音の音源“ピピピ”は、デジタルカメラのセルフカウントダウン中の音を模した音源であり、撮影処理のカウントダウン中であることを示すために発せられる。
【００５６】
なお、本実施例で表現した音源については、実施例に記載した限りではなく、他の擬似的な音源でも構わないし、撮影者が自由に切り替えられるようにしても良い。
【００５７】
なお、デジタルカメラには、撮影音を抑えて撮影するための静音撮影設定ができる機種も存在する。デジタルカメラで静音撮影の設定がなされている場合、携帯電話でも静音撮影の状態がわかるように、発する音源の音量を調整する。“静音撮影モードでの音量”は、デジタルカメラで静音撮影設定がなされている場合の音量を示しており、撮影の表現にかかわる音のみ、音量を小さくして発音することとする。
【００５８】
携帯電話２００は、デジタルカメラ１００の状態に応じた表示および発音を行う。また、静音撮影設定などデジタルカメラ１００の撮影音が小さくなる撮影モードの場合に、デジタルカメラ１００が、静音撮影設定になっていることを撮影者へ知らせるため、携帯電話２００で鳴らす音声の音量も小さく発音する。各撮影状態において発音する音量も図４に示している。
【００５９】
図５は、デジタルカメラ１００と携帯電話２００による、携帯電話２００を操作しての遠隔撮影時の基本的なコマンドのやりとりを示すシーケンス図である。なお、本シーケンスに示すデジタルカメラ１００の処理は、デジタルカメラ１００のシステム制御部１１１が入力信号やプログラムにしたがい、デジタルカメラ１００の各部を制御することにより実現される。
【００６０】
同様に、本シーケンスに示す携帯電話２００の処理は、携帯電話２００の制御部２０１が入力信号やプログラムにしたがい、デジタルカメラ携帯電話の各部を制御することにより実現される。また、デジタルカメラ１００の撮影設定の各種設定値（撮影モードやドライブモードの値（単写／連写／セルフカウントダウン）、ミラーアップ設定がなされているか等）は、本シーケンスの実行前にあらかじめデジタルカメラ１００から携帯電話２００に通知されているものとする。なお、特に断らない限り、デジタルカメラ１００や携帯電話２００の処理を示す他のシーケンス等の説明でも同様である。
【００６１】
ステップＳ５０１で、撮影者によって携帯電話２００の遠隔撮影ＳＷ２ボタン７０３に対する操作がなされたことを検知すると、ステップＳ５０２で、携帯電話２００からデジタルカメラ１００へ撮影命令を通知する。ステップＳ５０３では、デジタルカメラ１００から携帯電話２００へ、先のステップＳ５０２を受け付けたことを示すレスポンスを返す（以下、レスポンスと記す）。
【００６２】
具体的には、デジタルカメラ１００が、携帯電話２００に、撮影命令を受け付けたことを示す撮影命令ＯＫレスポンスを携帯電話２００へ返す。その後、ステップＳ５０４で、デジタルカメラ１００は撮影処理を開始する。ステップＳ５０５では、デジタルカメラ１００から携帯電話２００へ撮影状態の通知を行う。ステップＳ５０６では、デジタルカメラ１００が撮影を終了し、ステップＳ５０７で、測光を開始後タイマーによる測光終了を待つ状態（測光タイマー状態）を携帯電話２００へ通知する。
【００６３】
なお、デジタルカメラ１００から携帯電話２００へ、デジタルカメラ１００の状態や、設定値の通知を行う場合、携帯電話２００からデジタルカメラ１００へ定期的に状態を問い合わせるポーリング方式と、デジタルカメラ１００から携帯電話２００へ状態を問い合わせるための割り込み通知を行う方式がある。本実施例では、デジタルカメラ１００から携帯電話２００への状態および設定値の通知は、割り込み方式で行うものとして記載しているが、ポーリング方式を用いて同様のシーケンスを実施してもよい。
【００６４】
上述したコマンドのやりとりとして、デジタルカメラ１００から携帯電話２００へ、撮影命令の受付レスポンスおよび状態通知を送る構成としているため、バルブ撮影やミラーアップなど、デジタルカメラ１００での撮影設定に応じた様々な撮影に対応可能となっている。
【００６５】
ここで、携帯電話２００で撮影の表現を開始するタイミングとしては、撮影者が撮影ＳＷ２ボタン７０３を操作してから、撮影が行われることを保証する最も早いタイミングで行うことが望ましい。撮影の表現までに時間がかかると、撮影者は、撮影操作が正しくなされたことが把握しにくいためである。デジタルカメラ１００からのステップＳ５０５の撮影状態の通知は、デジタルカメラ１００の処理の状態やデジタルカメラ１００と携帯電話２００との通信状態によっては、ステップＳ５０４の撮影開始から時間差が生じてしまう可能性がある。このため、デジタルカメラ１００で撮影中であることを携帯電話２００で表現するには、ステップＳ５０３でデジタルカメラ１００から通知される撮影命令ＯＫレスポンスを受けて表現を開始するのが適している。
【００６６】
しかし、デジタルカメラ１００の撮影設定によっては、デジタルカメラ１００は、ステップＳ５０３で撮影命令ＯＫレスポンスを返したあと、すぐに撮影開始を行わず、別の処理を挟む場合がある。例えば、セルフカウントダウン撮影の設定がなされている場合、デジタルカメラ１００は、撮影命令ＯＫレスポンスを携帯電話２００に通知したあと、所定の時間カウントを行ってから、撮影開始処理を開始する。この場合には、携帯電話２００で、撮影命令ＯＫレスポンスにより撮影の表現を開始してしまうと、デジタルカメラ１００の撮影タイミングとは合わないタイミングにて表現を行ってしまうことになる。
【００６７】
デジタルカメラ１００には、セルフカウントダウン撮影以外にさまざまな撮影設定が存在する。それぞれの撮影設定に応じて、適切な表現のタイミングや表現方法を用いる必要がある。
【００６８】
以下、さまざまな撮影設定における、携帯電話２００上の撮影表現のタイミングおよび表現方法について説明する。
【００６９】
図６（ａ）（ｂ）（ｃ）は、撮影者が携帯電話２００での操作により遠隔撮影する際の、デジタルカメラ１００と携帯電話２００でのコマンドのやりとりと、それに合わせた携帯電話２００での撮影表現について示すシーケンス図である。ここで、図６に示す各シーケンスの前には、デジタルカメラ１００から携帯電話２００へ撮影の設定情報の通知がなされており、携帯電話２００はデジタルカメラ１００の各種設定値を把握している状態で、図６に示す各シーケンスが開始される。
【００７０】
図６（ａ）は、デジタルカメラ１００が、携帯電話２００に撮影命令ＯＫレスポンスを返した後にすぐに撮影処理を行う場合のシーケンスを示している。ステップＳ６０１で、携帯電話２００は、撮影者によって遠隔撮影ＳＷ２ボタン７０３への操作がなされたことを検知すると、ステップＳ６０２で、携帯電話２００からデジタルカメラ１００へ撮影命令を通知する。ステップＳ６０３では、デジタルカメラ１００が、携帯電話２００に、撮影命令を受け付けたことを示す撮影命令ＯＫレスポンスを返す。
【００７１】
ステップＳ６０４で、デジタルカメラ１００は撮影処理を開始する。一方、ステップＳ６０５では、携帯電話２００は、デジタルカメラ１００の撮影設定に応じて、表示部２０６に撮影開始を表す表示および発音、あるいは連写を表す表示および発音を行う。
【００７２】
ステップＳ６０６では、デジタルカメラ１００から携帯電話２００へ撮影状態の通知を行う。ステップＳ６０７で、デジタルカメラは撮影処理を終了し、ステップＳ６０８で、デジタルカメラ１００は携帯電話２００へ、測光タイマー状態を通知する。ステップＳ６０９で、携帯電話２００は、撮影終了を表す表示および発音を行い、遠隔撮影シーケンスを終了する。
【００７３】
図６（ｂ）は、デジタルカメラ１００にセルフカウントダウン撮影の撮影設定がなされている場合の、デジタルカメラ１００と携帯電話２００のシーケンスを示している。この場合、デジタルカメラ１００は、携帯電話２００に撮影命令ＯＫレスポンスを返し、所定の時間経過した後、撮影処理を行う。
【００７４】
ステップＳ６２１で、携帯電話２００は、撮影者によって遠隔撮影ＳＷ２ボタン７０３への操作がなされたことを検知すると、ステップＳ６２２で、携帯電話２００からデジタルカメラ１００へ撮影命令を通知する。ステップＳ６２３では、デジタルカメラ１００が、携帯電話２００に、撮影命令を受け付けたことを示す撮影命令ＯＫレスポンスを返す。
ステップＳ６２４で、デジタルカメラ１００はセルフカウントダウンを開始する。
【００７５】
一方、ステップＳ６２５では、携帯電話２００は、デジタルカメラ１００にセルフカウントダウンの撮影設定がなされている場合には、セルフカウントダウン状態の表示部２０６への表示および発音を行う。ステップＳ６２６では、デジタルカメラ１００は携帯電話２００に、セルフカウントダウン状態を通知する。デジタルカメラ１００は、ステップＳ６２４で実行したセルフカウントダウンが終了すると、ステップＳ６２７で、撮影処理を開始する。ステップＳ６２８では、デジタルカメラ１００から携帯電話２００へ撮影状態の通知を行う。
【００７６】
ステップＳ６２９では、携帯電話２００は、表示部２０６に撮影開始を示す表示および発音を行う。ステップＳ６３０で、デジタルカメラは撮影処理を終了し、ステップＳ６３１で、デジタルカメラ１００は携帯電話２００へ、測光タイマー状態を通知する。ステップＳ６３２で、携帯電話２００は、撮影終了を示す表示および発音を行い、遠隔撮影シーケンスを終了する。
【００７７】
図６（ｃ）は、デジタルカメラ１００にミラーアップ撮影の撮影設定がなされており、かつライブビューを行わない設定にされている場合の、デジタルカメラ１００と携帯電話２００のシーケンスを示している。ここで、ミラーアップ撮影の設定がなされている際のデジタルカメラ１００の挙動について説明する。デジタルカメラ１００は、ライブビューをしない設定にされている場合には、撮影前にハーフミラーが下がった状態になっており、デジタルカメラ１００は、携帯電話２００から１回目の撮影命令を受けると、ミラーを跳ね上げる。
【００７８】
そして、携帯電話２００から２回目の撮影命令を受けると、撮影処理を行う。このように、撮影に先立ってミラーを上げておくことで、ハーフミラーが上がる際に発生するデジタルカメラ１００の振動を抑えて撮影することができるようになっている。ミラーアップ撮影の設定がなされていても、ライブビューを行う設定にしている場合は、デジタルカメラ１００は撮影前からハーフミラーが上がった状態であるため、携帯電話２００からの１回目の撮影命令を受けて、撮影処理を行う。すなわち、この場合は図６（ａ）のシーケンスに従う。
【００７９】
ステップＳ６４１で、携帯電話２００は、撮影者によって遠隔撮影ＳＷ２ボタン７０３への操作がなされたことを検知すると、ステップＳ６４２で、携帯電話２００からデジタルカメラ１００へ撮影命令を通知する。ステップＳ６４３では、デジタルカメラ１００が、携帯電話２００に、撮影命令を受け付けたことを示す撮影命令OKレスポンスを返す。
【００８０】
ステップＳ６４４で、デジタルカメラ１００はミラーアップ処理を行い、ステップＳ６４６で、デジタルカメラ１００は携帯電話２００に、ミラーアップ状態の通知を行う。一方、ステップＳ６０５では、携帯電話２００は、ライブビュー表示中でなく、かつデジタルカメラ１００にミラーアップ撮影の撮影設定がなされている場合には、表示部２０６に、ミラーアップ状態の表示および発音を行う。ステップＳ６４６では、デジタルカメラ１００は携帯電話２００に、ミラーアップ状態を通知する。ステップＳ６４７で、携帯電話２００は、撮影者によって遠隔撮影ＳＷ２ボタン７０３への操作がなされたことを検知すると、ステップＳ６４８で、携帯電話２００からデジタルカメラ１００へ撮影命令を通知する。ステップＳ６４９では、デジタルカメラ１００が、携帯電話２００に、撮影命令を受け付けたことを示す撮影命令ＯＫレスポンスを返す。
【００８１】
ステップＳ６５０で、デジタルカメラ１００は撮影処理を開始する。一方、ステップＳ６５１では、携帯電話２００は、デジタルカメラ１００の撮影設定に応じて、表示部２０６に撮影開始を示す表示および発音、あるいは、連写を示す表示および発音を行う。
【００８２】
ステップＳ６５２では、デジタルカメラ１００から携帯電話２００へ撮影状態の通知を行う。ステップＳ６５３で、デジタルカメラは撮影処理を終了し、ステップＳ６５４で、デジタルカメラ１００は携帯電話２００へ、測光タイマー状態を通知する。ステップＳ６５５で、携帯電話２００は、撮影終了を表す表示および発音を行い、遠隔撮影シーケンスを終了する。
【００８３】
図６（ｄ）は、デジタルカメラ１００にバルブ撮影の撮影設定がなされている場合の、デジタルカメラ１００と携帯電話２００のシーケンスを示している。ここで、バルブ撮影の設定がなされている際のデジタルカメラ１００の挙動について説明する。バルブ撮影の設定がなされている場合、携帯電話１００は、遠隔撮影ＳＷ２ボタン７０３の押下を検知すると、撮影命令をデジタルカメラ１００に送信する。さらに、携帯電話２００は、遠隔撮影ＳＷ２ボタン７０３の押下が終了されたことを検知すると、撮影終了命令をデジタルカメラ１００に送信する。デジタルカメラ１００は、撮影命令を受けると、撮影を開始し、撮影終了命令を受けるまで撮影を続ける。また、撮影している間は、デジタルカメラ１００は、バルブカウントとして撮影時間を計測するとともに、バルブカウントを携帯電話２００へ送信を行う。
【００８４】
ステップＳ６６１で、携帯電話２００は、撮影者によって遠隔撮影ＳＷ２ボタン７０３への押下が開始されたことを検知すると、ステップＳ６６２で、携帯電話２００からデジタルカメラ１００へ撮影命令を通知する。ステップＳ６６３では、デジタルカメラ１００が、携帯電話２００に、撮影命令を受け付けたことを示す撮影命令ＯＫレスポンスを返す。
【００８５】
ステップＳ６６４で、デジタルカメラ１００は撮影処理を開始する。一方、ステップＳ６６５では、携帯電話２００は、表示部２０６に撮影開始を示す表示および発音を行う。スステップＳ６６６では、デジタルカメラ１００は携帯電話２００に、バルブ撮影状態を通知する。また、ステップＳ６６７で、デジタルカメラ１００は、バルブカウントのカウントアップを開始する。
【００８６】
そして、ステップＳ６６８で、デジタルカメラ１００は、バルブカウントアップ状態としてバルブカウントを携帯電話２００に通知する。ステップＳ６６９で、携帯電話２００は、通知されたバルブカウントを表示部２０６に表示する。ステップＳ６６８およびステップＳ６６９は、ステップＳ６７０の操作がなされるまで、所定時間ごと（たとえば１秒経過ごと）に、繰り返し発生する。ステップＳ６７０で、携帯電話２００は、撮影者によって遠隔撮影ＳＷ２ボタン７０３への押下が終了されたことを検知すると、ステップＳ６７１で、携帯電話２００からデジタルカメラ１００へ撮影終了命令を通知する。また、ステップＳ６７３で、携帯電話２００は、表示部２０６に撮影終了を示す表示および発音を行う。一方、ステップＳ６７４で、デジタルカメラは撮影処理を終了し、ステップＳ６７５で、デジタルカメラ１００は携帯電話２００へ、測光タイマー状態を通知し、遠隔撮影シーケンスを終了する。
【００８７】
＜携帯電話２００のＵＩ表示例＞ 
図７は、携帯電話２００が表示部２０６に表示させる撮影状況の表示例である。図７（ａ）は、携帯電話２００が、遠隔撮影アプリケーションとして撮影前および撮影後に表示部２０６に表示させる画面である。図７において、７０１はリモートライブビュー表示エリアである。携帯電話２００は、デジタルカメラ１００の撮像部１０４に結像した画像をデジタル画像として取得し、リモートライブビュー表示エリア７０１に表示を繰り返すことで、ライブビュー画像をリアルタイムで表示させることができるようになっている。
【００８８】
７０２および７０３はそれぞれ遠隔撮影ＳＷ１ボタン、遠隔撮影ＳＷ２ボタンであり、このボタンをタップ操作することによりデジタルカメラ１００に対して、フォーカス要求や撮影要求が出される。７０４はライブビュー表示／非表示切り替えボタンである。７０４が押下されると、携帯電話２００は、ライブビュー表示／非表示の切り替えを行う。すなわち、ライブビュー画像がリモートライブビュー表示エリア７０１に表示されている場合は、非表示とし、デジタルカメラ１００に、ライブビュー画像取得を中止する要求を送信し、デジタルカメラ１００はライブビューを行わない設定となる。
【００８９】
他方、リモートライブビュー表示エリア７０１が非表示の場合は、デジタルカメラ１００に、ライブビュー画像取得を行う要求を送信し、デジタルカメラ１００はライブビューを行う設定となり、デジタルカメラ１００からライブビュー画像の送信が行われ、携帯電話２００はリモートライブビュー表示エリア７０１にライブビュー画像の表示を行う。
図７（ｂ）は、携帯電話２００において表示する、“撮影中”を示す表示画面である。本画面は、撮影開始のタイミングで表示を開始し、撮影者に対し、デジタルカメラ１００が撮影状態に入ったことを伝える。具体的には、図で説明されるステップＳ６０５、ステップＳ６２９、ステップＳ６５１において表示される。
【００９０】
図７（ｂ）において、撮影状況表示領域７１１は、デジタルカメラ１００の撮影状況を示す表示を行う領域であり、撮影状況を表す文字列を表示する。撮影デジタルカメラ１００の撮影設定に応じて、表示する文字列を切り替える。例えば、１枚撮影モードでは“撮影中”と表示し、連写モードでは“連写中”と表示を行い、携帯電話２００の撮影者に対し、撮影状態を伝達できる。
【００９１】
なお、ブラケット撮影や、ＨＤＲ撮影、画像にさまざまな加工を加えたマルチショット撮影や、ノイズ低減画像作成のためのマルチショット撮影など、一度の撮影で多数の枚数が撮影される場合には、そのことを示す文字列を表示させるようにしもよい。また、通常の撮影音ではなく、専用の音を発音するようにしてもよい。また、バルブ撮影時には、撮影時間がわかるよう、バルブ撮影開始時からの秒数をカウントアップさせて表示させるようにしてもよい。なお、撮影状態表示領域に行う表示は、文字列でなく、状態を表すアイコンを表示するなど、ユーザに撮影状態を示しうる別の表示方法でもよい。
撮影時には、さらに、７０１のライブビュー表示領域をブラックアウトさせることで、撮影中であることを示す。
【００９２】
なお、撮影が終了すると、図７（ｂ）に示す撮影中の表示から、図７（ａ）に示す表示へと表示を更新する。なお、携帯電話２００で、撮影終了を示すアイコンや文字列を明示的に表示させるようにしてもよい。撮影終了を示す表示を更新する処理は、図６に示すシーケンスのステップＳ６０９、ステップＳ６３２、ステップＳ６５５で行われる。
【００９３】
図７（ｃ）は、携帯電話２００において表示する、撮影待機中であることを示す表示画面であり、図６に示されるシーケンスのステップＳ６２５やステップＳ６４５での処理により、表示が開始される。図７（ｃ）において、撮影待機状態表示領域７１２は、デジタルカメラ１００がセルフカウントダウン状態あるいはミラーアップ撮影状態であることを示す文字列を表示する。さらに、セルフカウントダウン表示状態の場合は、カウント数値も合わせて表示する。カウントダウンの設定数値は、撮影設定によってあらかじめデジタルカメラ１００から取得しておき、撮影開始時からタイマーを走らせて１秒ごとに数値を減らす処理を行い、携帯電話２００で表示する。
【００９４】
なお、デジタルカメラ１００から、撮影状態としてカウントダウンの現在値を通知させて表示させるようにしてもよい。また、図６（ｂ）に示されるシーケンスでは、携帯電話２００は、デジタルカメラ１００からステップＳ６２８で撮影状態を受けてから“撮影中”の表示および発音を行っていたが、カウントダウンの数値を利用して表示および表音を開始してもよい。すなわち、携帯電話２００は、カウントダウンの現在値が０になったことを検知されると、“撮影中”の表示および発音を行うようにしてもよい。
【００９５】
なお、本実施形態では、遠隔撮影ＳＷ２ボタン操作により携帯電話２００から送信される撮影命令に対するデジタルカメラ１００からの撮影命令ＯＫレスポンスを受けることで、撮影が確実に行われることが担保されてから“撮影中”の表示およびを行うこととした。他方、別の実施方法として、“撮影中”の表示を遠隔撮影ＳＷ２ボタン押下が検知された時に行うようにしてもよい。この場合には、携帯電話２００は、撮影者により遠隔撮影ＳＷ２ボタンが押されたことを検知すると、“撮影中”の表示および表音を開始するとともに、デジタルカメラ１００に対して撮影命令を送信する。
【００９６】
そして、デジタルカメラ１００から撮影命令レスポンスを受け取ると、撮影命令レスポンスを確認し、レスポンスがＯＫでなかった場合は、“撮影失敗”を示す表示に更新し、遠隔撮影シーケンスを終了する。図７（ｄ）に、“撮影失敗”を示す表示の例を示す。図７（ｄ）において、撮影状態表示領域７１３には、撮影が失敗したことを示す文言を表示する。なお、撮影状態表示領域への表示は、文言に限ったものではなく、アイコン等撮影失敗がわかる表現であればよい。
【００９７】
さて、次に、デジタルカメラ１００での操作による撮影時の携帯電話２００での表示および発音について説明する。デジタルカメラ１００での操作による撮影時に、携帯電話２００で撮影中の状態を表示するためには、これまで述べてきた携帯電話２００の操作による遠隔撮影とは異なるシーケンスが必要となる。このシーケンスについて図８を用いて説明する。
【００９８】
図８は、撮影者がデジタルカメラ１００での操作により撮影する際の、デジタルカメラ１００と携帯電話２００でのコマンドのやりとりと、それに合わせた携帯電話２００での撮影表現について示したシーケンス図である。ここで、図８に示すシーケンスの前には、デジタルカメラ１００から携帯電話２００へ撮影の設定情報の通知がなされており、携帯電話２００はデジタルカメラ１００の各種設定値を把握している状態で、図８に示すシーケンスが開始される。
【００９９】
ステップＳ８０１で、デジタルカメラ１００は、撮影者によってデジタルカメラ１００のＳＷ２ボタン１１７への操作がなされたことを検知すると、ステップＳ８０２で、デジタルカメラ１００は撮影処理を開始する。そして、デジタルカメラ１００は携帯電話２００に、撮影状態であることを通知する。ステップＳ８０４では、携帯電話２００は、デジタルカメラ１００の撮影設定に応じて、表示部２０６に撮影開始を表す表示あるいは連写を表す表示を行う。デジタルカメラ１００は、ステップＳ８０５で撮影処理を終了すると、ステップＳ８０６で、携帯電話２００に、測光タイマー状態を通知する。
【０１００】
ステップＳ８０７では、携帯電話８０７は、撮影中状態の表示を中止し、撮影シーケンスを終了する。
【０１０１】
図８のシーケンスを用いて説明したように、デジタルカメラ１００側の操作で撮影が行われた場合には、携帯電話２００では撮影を示す発音を行わないが、この理由を説明する。すでに述べたように、携帯電話２００と通信中のデジタルカメラ１００の操作による撮影は、撮影者がデジタルカメラ１００を操作して撮影を行い、携帯電話２００の使用者がその撮影状況を閲覧する場合などに用いられるほか、デジタルカメラ１００本体の表示部１１０ではライブビュー画像を確認し難いような撮影にも使用される。
【０１０２】
後者のように、デジタルカメラ１００の撮影者と携帯電話２００の使用者が同一人物であった場合、該当人物はデジタルカメラ１００を操作可能な範囲に存在するため、デジタルカメラ１００の発する撮影音が確認できる。このとき、携帯電話２００において撮影を示す音を発してしまうと、デジタルカメラ１００が発する音と混ざってしまい、撮影状態を知るのにかえって紛らわしい情報となってしまう。このため、デジタルカメラ１００側での操作による撮影時に携帯電話２００で発音しないことは有効であると考えられる。デジタルカメラ１００の撮影者と携帯電話２００の操作者が異なる場合であっても、携帯電話２００の操作者は“撮影中”の表示によりデジタルカメラ１００での撮影状態を知ることが可能である。
【０１０３】
なお、図６（ｂ）（ｃ）で説明したように、セルフカウントダウン撮影時やミラーアップ撮影時には、ステップＳ８０３の通知に先立ち、デジタルカメラ１００から携帯電話２００へ、セルフカウントダウン状態の通知またはミラーアップ状態の通知が行われる。このとき、携帯電話２００で、セルフカウントダウン状態やミラーアップ状態の表示を行うようにしてもよい。なお、設定によってデジタルカメラ１００の操作での撮影時に携帯電話２００で発音する／しないを切り替えられるようにしてもよいし、デジタルカメラ１００と携帯電話２００との間の距離を位置情報や通信状態によって推測し、距離が一定以上離れている場合のみ、携帯電話２００でも発音するなどしてもよい。
【０１０４】
以上説明したように、撮像装置の撮影設定や撮像の操作元によって、通信装置での撮影表現を開始するために用いる状態情報を切り替えることにより、通信装置で、デジタルカメラの撮影状態を適切なタイミングで表示および発音できる。また、その表示や発音の内容を撮影状況により切り替えることで、撮影者あるいは観測者に、適切なタイミングで撮影の状況を伝えることを可能としている。
【０１０５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【０１０６】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【０１０７】
その場合、プログラムの機能を有していれば、オブジェクトコード、インタプリタにより実行されるプログラム、ＯＳに供給するスクリプトデータ等、プログラムの形態を問わない。
【０１０８】
プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【０１０９】
１００  デジタルカメラ
１  レンズ
１１  ズームレンズ
１２  絞り機構
【図１】
2019062486.tif 000003
【図２】
2019062486.tif 000004
【図３】
2019062486.tif 000005
【図４】
2019062486.tif 000006
【図５】
2019062486.tif 000007
【図６（ａ）】
2019062486.tif 000008
【図６（ｂ）】
2019062486.tif 000009
【図６（ｃ）】
2019062486.tif 000010
【図６（ｄ）】
2019062486.tif 000011
【図７（ａ）】
2019062486.tif 000012
【図７（ｂ）】
2019062486.tif 000013
【図７（ｃ）】
2019062486.tif 000014
【図７（ｄ）】
2019062486.tif 000015
【図８】
2019062486.tif 000016